(57)【特許請求の範囲】
【請求項１】
回路基板に取り付けて用いられる光電気複合コネクタにおいて、前記光電気複合コネクタは、回路基板に取り付けられ、さらにケースに固定され、ハウジング部、端子、光リンク部保護ケースを備え、ハウジング部は、コネクタを回路基板に取り付ける際の位置決めの基準となる位置決めピンと、端子を固定する端子固定部とを備え、光リンク部保護ケースは、回路基板取り付け用のピンを備え、前記光電気複合コネクタのハウジング部にはケース固定用の溝部が設けられており、前記溝部の両側の壁部の高さが異なっており、一方の壁部をもう一方の壁部よりケースの厚さに相当する分だけ高くして、一方の壁部の高さとケースの上面の高さがほぼ一致し、溝部がハウジング部の外周方向に沿って連続的に形成されていることにより、壁部側からケースを溝部へ導入することが可能であり、ケースとハウジング部との隙間から粉塵等が機器等の内部に侵入することを防止できることを特徴とする光電気複合コネクタ。
【発明の詳細な説明】
【０００１】
【発明の属する技術分野】
本発明は、電気配線や光配線の接続に用いられる光電気複合コネクタに関する。
【０００２】
【従来の技術】
電気配線や光配線を接続するために、電気コネクタ、光コネクタ、光電気複合コネクタが一般的に用いられる。これらのコネクタのうち、機器等の回路基板に取り付けて用いられるコネクタは、さらに機器等のケースに固定されることがある。
【０００３】
従来の光電気複合コネクタについて、図面を用いて説明する。
【０００４】
図５は、従来の光電気複合コネクタの一例を示す側面図である。図５において、１はハウジング部、２は端子、３は光リンク部保護ケースである。
【０００５】
ハウジング部１は、ケース固定用の溝部１１を有し、溝部１１はその両側に壁部１２、１３を有する。また、ハウジング部１は、コネクタを回路基板に取り付ける際の位置決めの基準となる位置決めピン１４と、端子２を固定する端子固定部１５とを有する。さらに、ハウジング部１は、図示しない光リンク部の発光素子および受光素子を固定し光信号をガイドする図示しないガイド部を有する。
【０００６】
また、溝部１１を基準とした場合の壁部１２の高さと壁部１３の高さは、ほぼ等しくなっており、壁部１２、１３の溝部１１側には、溝部１１にケースを導入しやすくするために面取り部１２ａ、１３ａが設けられている。
【０００７】
光リンク部保護ケース３は、図示しない光リンク部を保護するものである。また、光リンク部保護ケース３は、回路基板取り付け用のピン３１を有し、図示しない光リンク部は、回路基板と接続するための光リンク部端子３２を有する。
【０００８】
次に、従来の光電気複合コネクタに機器等のケースを取り付ける方法および取り付け状態を説明する。図６は、図５のコネクタへの機器等のケースの取り付け状態を示す側面図であり、（ａ）はケースの導入状態を、（ｂ）はケースが取り付けられた状態をそれぞれ示すものである。
【０００９】
図６に示すように、回路基板５に取り付けられたコネクタのハウジング部１に垂直な方向からケース４を導入することにより、溝部１１にケース４が固定される。
【００１０】
【発明が解決しようとする課題】
しかし、従来の光電気複合コネクタにケースを取り付ける際、図６（ａ）のようにハウジング部１に垂直な方向からケースを導入する必要があり、場合によってはケースの取り付けに困難を伴うことがある。
【００１１】
また、壁部１２、１３の面取り部１２ａ、１３ａは、壁部１２、１３の高さの実効値を下げる効果があり、場合によっては十分にケースを固定できなくなることがある。
【００１２】
そこで、本発明では、上記課題を解決するため、機器等のケースの取り付けが容易となる光電気複合コネクタを提供することを目的とする。
【００１３】
【課題を解決するための手段】
本発明における請求項１の発明は、回路基板に取り付けて用いられる光電気複合コネクタにおいて、前記光電気複合コネクタは、回路基板に取り付けられ、さらにケースに固定され、ハウジング部、端子、光リンク部保護ケースを備え、ハウジング部は、コネクタを回路基板に取り付ける際の位置決めの基準となる位置決めピンと、端子を固定する端子固定部とを備え、光リンク部保護ケースは、回路基板取り付け用のピンを備え、前記光電気複合コネクタのハウジング部にはケース固定用の溝部が設けられており、前記溝部の両側の壁部の高さが異なっており、一方の壁部をもう一方の壁部よりケースの厚さに相当する分だけ高くして、一方の壁部の高さとケースの上面の高さがほぼ一致し、溝部がハウジング部の外周方向に沿って連続的に形成されていることにより、壁部側からケースを溝部へ導入することが可能であり、ケースとハウジング部との隙間から粉塵等が機器等の内部に侵入することを防止できることを特徴とするものである。
【００１４】
【発明の実施の形態】
本発明の実施の形態を、図面を用いて説明する。なお、図５および図６に示された記号と同様の記号については説明を省略する。
【００１５】
まず、第１の実施形態について説明する。図１は、本発明の第１の実施形態の一例を示す側面図である。
【００１６】
図２は、図１の光電気複合コネクタへの機器等のケースの取り付け状態を示す側面図であり、（ａ）はケースの導入状態を、（ｂ）はケースが取り付けられた状態をそれぞれ示すものである。
【００１７】
図１および図２において、壁部１２は壁部１３より高くなっている。このことにより、溝部１１に垂直な方向からのほか、図２（ａ）のように壁部１３側からもケースを溝部１１へ導入することが可能となり、溝部１１へのケース４の取り付けが容易となる。
【００１８】
また、壁部１２が壁部１３より高くなっていることにより、壁部１２、１３の溝部１１側に設けられる面取り部を必要最小限にすることが可能となり、壁部１３の高さはケース４を溝部１１に固定するために必要最小限の高さとすることができる。なお、図１および図２には、面取り部が形成されない例を示している。
【００１９】
さらに、壁部１２を壁部１３よりケースの厚さに相当する分だけ高くすることにより、壁部１２の高さとケース４の上面の高さがほぼ一致し、機器等の小型化を図ることが可能となる。
【００２０】
なお、第１の実施形態において、溝部１１はハウジング部１の外周方向に沿って連続的に形成されていることが望ましい。図１および図２は、溝部１１がハウジング部１の外周方向に沿って連続的に形成されている状態を示しているが、この構成により、ケース４とハウジング部１との隙間から粉塵等が機器等の内部に侵入することを効率よく防止し、精密機器に適用可能な防塵効果を発揮させることが可能となる。
【００２１】
次に、第２の実施形態について説明する。図３は、本発明の第２の実施形態の一例を示す側面図である。
【００２２】
図４は、図３の光電気複合コネクタへの機器等のケースの取り付け状態を示す側面図であり、（ａ）はケースの導入状態を、（ｂ）はケースが取り付けられた状態をそれぞれ示すものである。
【００２３】
図３および図４において、壁部１２は壁部１３より低くなっている。このことにより、溝部１１に垂直な方向からのほか、図４（ａ）のように壁部１２側からもケース４を溝部１１へ導入することが可能となり、溝部１１へのケース４の取り付けが容易となる。
【００２４】
また、壁部１２、１３の溝部１１側に設けられる面取り部を必要最小限にすることが可能となり、ケース４を溝部１１に十分に固定することができる。なお、図３および図４には、面取り部が形成されない例を示している。
【００２５】
さらに、壁部１２を壁部１３より低くすることにより、装置の美観を損ねることなくケース４を溝部１１に十分に固定することができる。
【００２６】
なお、第２の実施形態において、第１の実施の形態と同様に、溝部１１はハウジング部１の外周方向に沿って連続的に形成されていることが望ましい。図３および図４は、溝部１１はハウジング部１の外周方向に沿って連続的に形成されている状態を示しているが、この構成により、ケース４とハウジング部１との隙間から粉塵等が機器等の内部に侵入することを効率よく防止することができ、精密機器に適用可能な防塵効果を発揮させることが可能となる。
【００２７】
以上、本発明の実施の形態を具体例を挙げて説明したが、本発明の実施の形態は上述したものに限られず、特許請求の範囲に記載された範囲内において、適宜変更することが可能であることはいうまでもない。
【００２８】
【発明の効果】
以上のとおり、本発明によれば、回路基板に取り付けて用いられる光電気複合コネクタにおいて、前記光電気複合コネクタは、回路基板に取り付けられ、さらにケースに固定され、ハウジング部、端子、光リンク部保護ケースを備え、ハウジング部は、コネクタを回路基板に取り付ける際の位置決めの基準となる位置決めピンと、端子を固定する端子固定部とを備え、光リンク部保護ケースは、回路基板取り付け用のピンを備え、前記光電気複合コネクタのハウジング部にはケース固定用の溝部が設けられており、前記溝部の両側の壁部の高さが異なっており、一方の壁部をもう一方の壁部よりケースの厚さに相当する分だけ高くして、一方の壁部の高さとケースの上面の高さがほぼ一致し、溝部がハウジング部の外周方向に沿って連続的に形成されていることにより、壁部側からケースを溝部へ導入することが可能であり、ケースとハウジング部との隙間から粉塵等が機器等の内部に侵入することを防止できる。
【図面の簡単な説明】
【図１】本発明の第１の実施形態の一例を示す側面図である。
【図２】図１のコネクタへの機器等のケースの取り付け状態を示す側面図であり、（ａ）はケースの導入状態を、（ｂ）はケースが取り付けられた状態をそれぞれ示すものである。
【図３】本発明の第２の実施形態の一例を示す側面図である。
【図４】図３のコネクタへの機器等のケースの取り付け状態を示す側面図であり、（ａ）はケースの導入状態を、（ｂ）はケースが取り付けられた状態をそれぞれ示すものである。
【図５】従来のコネクタの一例を示す側面図である。
【図６】図５のコネクタへの機器等のケースの取り付け状態を示す側面図であり、（ａ）はケースの導入状態を、（ｂ）はケースが取り付けられた状態をそれぞれ示すものである。
【符号の説明】
１  ハウジング部
２  端子部
３  光リンク部保護ケース
４  ケース
５  基板
１１  溝部
１２、１３  壁部
１２ａ、１３ａ  面取り部
１４  位置決めピン
１５  端子固定部
３１  ピン
３２  光リンク部端子
【図１】
0004100967.tif 000002
【図２】
0004100967.tif 000003
【図３】
0004100967.tif 000004
【図４】
0004100967.tif 000005
【図５】
0004100967.tif 000006
【図６】
0004100967.tif 000007